(57)【特許請求の範囲】
【請求項１】
ラチェット・ギア、ロック・ギアなどを用いるラチェット機構の箱形ベース・ブラケットに被せて組み付けられる前後半割り樹脂ヘッドレスト・フレームにおいて片側の側壁に開口するボタン口に進退方向に摺動可能にはめ合わせられるプッシュ・ボタンと、
そのプッシュ・ボタンの進退方向に沿った長穴をボタン側端に有してその樹脂ヘッドレスト・フレーム内にそのボタン口からその箱形ベース・ブラケットに伸びて配置される操作レバーと、
その箱形ベース・ブラケットに上下方向に揺動可能に支持され、そして、一端をその操作レバーの先端にヒンジ結合させて他端でそのロック・ギアをそのラチェット・ギアにかみ合わせてかみ外しするベル・クランクと、
一端をベル・クランクに、他端をその箱形ベース・ブラケットにそれぞれ止めるリターン・スプリングと、
その樹脂ヘッドレスト・フレームの内部でそのボタン口に近接されてその樹脂ヘッドレスト・フレームの内部に突き出され、その操作レバーのその長穴にはめ合わせられてめくら作業でそのプッシュ・ボタンをその操作レバーに組み付け可能にする位置決め爪と、
を含む傾倒調整可能なヘッドレストに用いるロック解除機構。
【発明の詳細な説明】
【技術分野】
【０００１】
この発明は、自動車シートの傾倒調整可能なヘッドレストに用いるロック解除機構に関し、詳細には、ラチェット・ギア、ロック・ギアなどを用いるラチェット機構で傾倒調整可能にされるヘッドレストにおいてそのラチェット機構にロック解除機構を組み付ける作業、特に、プッシュ・ボタンを操作レバーに連結する作業の改善に関する。
【背景技術】
【０００２】
通常、ラチェット機構で傾倒調整可能にされるヘッドレストのロック解除機構では、プッシュ・ボタンを操作レバーに連結する作業の際、その操作レバーの位置を確認もしくは保持しながら連結せねばならなかった。
その操作レバーはそのヘッドレストの内部に配置されるので、そのプッシュ・ボタンをその操作レバーに組み付ける作業では非常に厄介であった。
【先行技術文献】
【特許文献】
【０００３】
特開２００８−２５３３３５公報
特開２００９−２１３５４１公報
【発明の概要】
【発明が解決しようとする課題】
【０００４】
この発明の課題は、傾倒調整可能なヘッドレストのラチェット機構にロック解除機構を組み付ける作業、特に、めくら作業でプッシュ・ボタンを操作レバーに連結できてその組み付け作業を簡単化でき、部品構成も簡素化できてヘッドレスト内部での部品レイアウトの完結を可能にするところの傾倒調整可能なヘッドレストに用いるロック解除機構を提供するにある。
【課題を解決するための手段】
【０００５】
この発明の傾倒調整可能なヘッドレストに用いるロック解除機構は、ラチェット・ギア、ロック・ギアなどを用いるラチェット機構の箱形ベース・ブラケットに被せて組み付けられる前後半割り樹脂ヘッドレスト・フレームにおいて片側の側壁に開口するボタン口に進退方向に摺動可能にはめ合わせられるプッシュ・ボタンと、そのプッシュ・ボタンの進退方向に沿った長穴をボタン側端に有してその樹脂ヘッドレスト・フレーム内にそのボタン口からその箱形ベース・ブラケットに伸びて配置される操作レバーと、その箱形ベース・ブラケットに上下方向に揺動可能に支持され、そして、一端をその操作レバーの先端にヒンジ結合させて他端でそのロック・ギアをそのラチェット・ギアにかみ合せてかみ外しするベル・クランクと、一端をそのベル・クランクに、他端をその箱形ベース・ブラケットにそれぞれ止めるリターン・スプリングと、その樹脂ヘッドレスト・フレームの内部でそのボタン口に近接されてその樹脂ヘッドレスト・フレームの内部に突き出され、その操作レバーのその長穴にはめ合わせられてめくら作業でそのプッシュ・ボタンをその操作レバーに組み付け可能にする位置決め爪とを含む。
【発明の効果】
【０００６】
この発明の傾倒調整可能なヘッドレストに用いるロック解除機構では、その操作レバーがそれのボタン側端に長穴をそのプッシュ・ボタンの進退方向に沿って伸ばして穴明けし、その前後半割り樹脂ヘッドレスト・フレームの内部でそのボタン口に近接されてその前後半割り樹脂ヘッドレスト・フレーム内に突き出された位置決め爪にその長穴をはめ合わせてそのプッシュ・ボタンに対してそのボタン側端を位置決めするので、その傾倒調整可
能なヘッドレストのラチェット機構に組み付けする作業、特に、めくら作業でそのプッシュ・ボタンがその操作レバーに連結できてその組付け作業が簡素化され、部品構成も簡素化され、そして、そのヘッドレスト内部での部品レイアウトの完結が可能になる。
【図面の簡単な説明】
【０００７】
【図１】乗用車のドライバー・シートの傾倒調整可能なヘッドレストに活用されるところのこの発明の傾倒調整可能なヘッドレストに用いるロック解除機構の具体例を示した斜視図である。
【図２】図１から見て前後半割り樹脂ヘッドレスト・フレームを省いてそのロック解除機構を示した斜視図である。
【図３】パッドや表皮、さらに、その前後半割り樹脂ヘッドレスト・フレームの後側樹脂フレームも省いてその傾倒調整可能なヘッドレストを示した部分側面図である。
【図４】そのロック解除機構を部分的に示した分解斜視図である。
【発明を実施するための形態】
【０００８】
この発明の傾倒調整可能なヘッドレストに用いるロック解除機構は、ラチェット・ギア、ロック・ギアなどを用いるラチェット機構の箱形ベース・ブラケットに被せて組み付けられる前後半割り樹脂ヘッドレスト・フレームにおいて片側の側壁に開口するボタン口に進退方向に摺動可能にはめ合わせられるプッシュ・ボタンと、そのプッシュ・ボタンの進退方向に沿った長穴をボタン側端に有してその樹脂ヘッドレスト・フレーム内にそのボタン口からその箱形ベース・ブラケットに伸びて配置される操作レバーと、その箱形ベース・ブラケットに上下方向に揺動可能に支持され、そして、一端をその操作レバーの先端にヒンジ結合させて他端でそのロック・ギアをそのラチェット・ギアにかみ合せてかみ外しするベル・クランクと、一端をそのベル・クランクに、他端をその箱形ベース・ブラケットにそれぞれ止めるリターン・スプリングと、その樹脂ヘッドレスト・フレームの内部でそのボタン口に近接されてその樹脂ヘッドレスト・フレームの内部に突き出され、その操作レバーのその長穴にはめ合わせられてめくら作業でそのプッシュ・ボタンをその操作レバーに組み付け可能にする位置決め爪とを含む。
【実施例１】
【０００９】
以下、特定されて図示された具体例に基づいて、この発明の傾倒調整可能なヘッドレストに用いるロック解除機構を説明するに、図1ないし図４は、乗用車のドライバー・シー
トの傾倒調整可能なヘッドレスト３０に活用されるところのこの発明の傾倒調整可能なヘッドレストに用いるロック解除機構の具体例１０を示し、そして、その傾倒調整可能なヘッドレスト３０は、パッド、表皮、およびラチェット機構３７の一部などを省いて示されている。
この傾倒調整可能なヘッドレスト３０は、先ず、そのラチェット機構３７の一部が角曲げU字形スティ３４、３５のスティ・トップ連結バー３６に、そのラチェット機構３７の残
りおよびそのロック解除機構１０の一部がそのラチェット機構３７の箱形ベース・ブラケット４０にそれぞれ組み付けられ、次いで、その箱形ベース・ブラケット４０がその角曲げU字形スティ３４、３５のそのスティ・トップ連結バー３６に回転可能に取り付けられ
て上下方向に揺動可能に支持され、引き続いて、前後半割り樹脂ヘッドレスト・フレーム３１がその箱形ベース・ブラケット４０に被せられてその箱形ベース・ブラケット４０に取り付けられ、さらに、パッド（省いて図示せず）がその前後半割り樹脂ヘッドレスト・フレーム３１に被せられてその前後半割り樹脂ヘッドレスト・フレーム３１に組み付けられ、そして、表皮（省いて図示せず）がそのパッド上からそれらに被せられ、固定されて仕上げられる。
【００１０】
その前後半割り樹脂ベース・フレーム３１は、前側樹脂フレーム３２および後側樹脂フレーム３３から組み立てられ、そして、その前側樹脂フレーム３２の片側の側壁３８にボタ
ン口３９を開口させ、そして、そのボタン口３９にそのロック解除機構１０のプッシュ・ボタン１１をはめ合わせてそのボタン口３９にそのプッシュ・ボタン１１を進退方向に摺動可能に保持する。
【００１１】
そのロック解除機構１０は、そのプッシュ・ボタン１１、操作レバー１２、ベル・クランク１３、リターン・スプリング１４、および位置決め爪１５などから組み立てられる。
そして、このロック解除機構１０では、そのプッシュ・ボタン１１が、ラチェット・ギア４１、ロック・ギア４２、ヘッドレスト傾倒スプリング（図示せず）、ロック・スプリング（図示せず）などを用いるそのラチェット機構３７の箱形ベース・ブラケット４０に被せて組み立てられるその前後半割り樹脂ヘッドレスト・フレーム３１においてその片側の側壁１８に開口するそのボタン口３９に進退方向に摺動可能にはめ合わせられ、また、その操作レバー１２が、そのプッシュ・ボタン１１の進退方向に沿った長穴２５をボタン側端２４に有してその樹脂ヘッドレスト・フレーム３１内にそのボタン口３９からその箱形ベース・ブラケット４０に伸びて配置され、さらに、そのベル・クランク１３が、その箱形ベース・ブラケット４０に上下方向に揺動可能に支持され、そして、一端をその操作レバー１２の先端（ベル・クランク側端）２８にヒンジ結合させて他端でそのロック・ギア４２をそのラチェット・ギア４１にかみ合せかみ外しさせ、また、リターン・スプリング１４が、そのベル・クランク１３の支持ピンに巻き付けられて支持され、そして、一端をそのベル・クランク１３に、他端をその箱形ベース・ブラケット４０にそれぞれ止め、さらには、その位置決め爪１５が、その樹脂ヘッドレスト・フレーム３１の内部でそのボタン口３９に近接されてその樹脂ヘッドレスト・フレーム３１の内部に突き出され、その操作レバー１２のその長穴２５にはめ合わせられてめくら作業でそのプッシュ・ボタン１１をその操作レバー１２に組み付けて連結可能にする。
【００１２】
そのプッシュ・ボタン１１は、硬質樹脂の成形品で先端面２０に圧入ピン２１を突き出し、また、先端外周面２２に複数の板止め爪２３を突き出している。
【００１３】
その操作レバー１２は、所定の厚さの鋼板から所定の幅、長さに打ち抜かれた細長い鋼板製ブランクから成形される。
その細長い鋼板製ブランクは、長さ方向の中間で２つの逆向きＬ曲げされ、そして、ボタン側端にその長穴２５を打ち抜いてそのボタン側端２４の先端にもピン穴２７を明け、そして、そのピン穴２７付き先端をボタン突き合わせフランジ２６に直角に折り曲げて押し引きリンクに成形される。
【００１４】
したがって、このロック解除機構１０は、そのプッシュ・ボタン１１を除いてその傾倒調整可能なヘッドレスト３０が組み立てられる際に、そのラチェット機構３７に連結されてその前後半割り樹脂ヘッドレスト・フレーム３０の内部に組み込まれ、その際、その操作レバー１２がその前側樹脂フレーム３２の内面に突き出されたその位置決め爪１５にその長穴２５をはめ合わせてそのボタン側端２４でそのボタン突き合わせフランジ２６がそのボタン口３９に対して位置決めされるので、そのようにそのプッシュ・ボタン１１に対してその操作レバー１２のそのボタン側端２４を位置決めするので、その傾倒調整可能なヘッドレスト３０が組み立てられた後にそのプッシュ・ボタン１１をそのボタン口３９にはめ込みながらその操作レバー１２のそのボタン突き合わせフランジ２６に強く押し付けると、その圧入ピン２１がそのボタン突き合わせフランジ２６のそのピン穴２７に圧入されてその操作レバー１２に連結され、そのようにして、その傾倒調整可能なヘッドレスト３０のそのラチェット機構３７に組み付ける作業、特に、そのプッシュ・ボタン１１をその操作レバー１２に連結する作業がめくら作業で可能になり、その組付け作業が簡単化され、部品構成も簡素化され、そして、そのヘッドレスト内部での部品レイアウトの完結が可能になる。
【００１５】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１６】
上述から理解されるように、この発明の傾倒調整可能なヘッドレストに用いるロック解除機構は、ラチェット・ギア、ロック・ギアなどを用いるラチェット機構の箱形ベース・ブラケットに被せて組み付けられる前後半割り樹脂ヘッドレスト・フレームにおいて片側の側壁に開口するボタン口に進退方向に摺動可能にはめ合わせられるプッシュ・ボタンと、そのプッシュ・ボタンの進退方向に沿った長穴をボタン側端に有してその樹脂ヘッドレスト・フレーム内にそのボタン口からその箱形ベース・ブラケットに伸びて配置される操作レバーと、その箱形ベース・ブラケットに上下方向に揺動可能に支持され、そして、一端をその操作レバーの先端にヒンジ結合させて他端でそのロック・ギアをそのラチェット・ギアにかみ合せてかみ外しするベル・クランクと、一端をそのベル・クランクに、他端をその箱形ベース・ブラケットにそれぞれ止めるリターン・スプリングと、その樹脂ヘッドレスト・フレームの内部でそのボタン口に近接されてその樹脂ヘッドレスト・フレームの内部に突き出され、その操作レバーのその長穴にはめ合わせられてめくら作業でそのプッシュ・ボタンをその操作レバーに組み付け可能にする位置決め爪とを含むので、この発明の傾倒調整可能なヘッドレストに用いるロック解除機構では、その傾倒調整可能なヘッドレストのそのラチェット機構に組み付ける作業、特に、そのプッシュ・ボタンをその操作レバーに連結する作業がめくら作業で可能になり、その組付け作業が簡単化され、部品構成が簡素化され、そして、ヘッドレスト内部での部品レイアウトの完結が可能になり、その結果、傾倒調整可能なヘッドレストにとって非常に有用で実用的である。
【符号の説明】
【００１７】
１０  ロック解除機構
１１  プッシュ・ボタン
１２  操作レバー
１３  ベル・クランク
１４  リターン・スプリング
１５  位置決め爪
２０  先端面
２１  圧入ピン
２２  先端外周面
２３  抜け止め爪
２４  ボタン側端
２５  長穴
２６  ボタン突き合わせフランジ
２７  ピン穴
２８  先端
３０  傾倒調整可能なヘッドレスト
３１  前後半割り樹脂ヘッドレスト・フレーム
３２  前側樹脂フレーム
３３  後側樹脂フレーム
３４  角曲げＵ字形スティ
３５  角曲げＵ字形スティ
３６  スティ・トップ連結バー
３７  ラチェット機構
３８  片側の側壁
３９  ボタン口
４０  箱形ベース・ブラケット
４１  ラチェット・ギア
４２  ロック・ギア
【図１】
0005808683.tif 000002
【図２】
0005808683.tif 000003
【図３】
0005808683.tif 000004
【図４】
0005808683.tif 000005